(57)【要約】【課題】煙突等の塔状構造物をその上部から順次破砕し、破砕片を落下させながら解体する解体方法において、落下した破砕片の地面への衝突による振動及び騒音の発生を低減することができる塔状構造物の解体方法を提供する。【解決手段】解体する煙突３１の内部下端に、圧縮空気を充満した空気膜構造体１１を配置し、上部から解体されて落下する破砕片３３を空気膜構造体１１で受け止めることによって、破砕片３３の衝撃を吸収し、振動及び騒音の発生を低減する。【選択図】図２
2005344455.tif 000002
【特許請求の範囲】
【請求項１】
塔状構造物をその上部から順次破砕し、破砕片を落下させながら解体する解体方法において、内部に圧縮空気を充満した空気膜構造体を備えた衝撃緩和装置を地面に配置し、前記破砕片を前記空気膜構造体で受け止めることを特徴とする塔状構造物の解体方法。
【請求項２】
破砕片を当該塔状構造物の内部に落下させるとともに、前記空気膜構造体を当該塔状構造物の内部に配置することを特徴とする請求項１記載の塔状構造物の解体方法。
【請求項３】
請求項１又は２に記載の塔状構造物の解体方法において用いる衝撃緩和装置であって、内部に圧縮空気を送り込まれて膨張する空気膜構造体と、該空気膜構造体に圧縮空気を送り込むための空気圧縮機と、該空気膜構造体の内部の圧縮空気の量をその開閉によって調整するための開閉弁とを備えていることを特徴とする衝撃緩和装置。
【請求項４】
空気膜構造体の上面にアラミド繊維が貼り付けられていることを特徴とする請求項３に記載の衝撃緩和装置。
【請求項５】
空気膜構造体の内部の圧力が所定圧力以上になった場合に、空気膜構造体の内部の圧縮空気を外部に放出するための圧力逃がし弁を備えていることを特徴とする請求項３又は４に記載の衝撃緩和装置。
【発明の詳細な説明】
【技術分野】
【０００１】
本発明は、煙突等の塔状構造物の解体方法に関するものである。
【背景技術】
【０００２】
従来、煙突等の塔状構造物の解体方法として、塔状構造物をその上部から順次破砕し、破砕片を落下させながら解体する方法が知られている。
【０００３】
すなわち、塔状構造物の周囲に作業足場を組み上げ、作業員がハンドブレーカー等を使用して上部から順次はつり落とす方法や、作業足場と油圧解体機をクレーンで吊り上げ、これらを塔状構造物自体の周壁頂端に架設し、油圧解体機を使用して上部から順次はつり落とす方法や、塔状構造物とほぼ同じ高さのマストを設置し、マストに昇降自在に取り付けられた架台に油圧解体機を搭載し、油圧解体機を使用して上部から順次はつり落とす方法である（例えば、特許文献１参照。）。
【特許文献１】特開２００２−３４９０８０号公報
【発明の開示】
【発明が解決しようとする課題】
【０００４】
しかし、上記のような、塔状構造物をその上部から順次破砕し、破砕片を落下させながら解体する解体方法においては、落下した破砕片が地面に衝突して振動及び騒音を発生する。特に解体作業が住宅地近傍で行われる場合に、その振動及び騒音がしばしば問題になることがあるが、従来、あまり適切な対策がとられてこなかった。
【０００５】
本発明は、上記の事情に鑑みてなされたものであり、塔状構造物をその上部から順次破砕し、破砕片を落下させながら解体する解体方法において、落下した破砕片の地面への衝突による振動及び騒音の発生を低減することができる塔状構造物の解体方法を提供することを目的とするものである。さらに、その解体方法において用いるための衝撃緩和装置を提供することを目的とするものである。
【課題を解決するための手段】
【０００６】
上記の課題を解決するために、本発明は以下の特徴を有する。
【０００７】
［１］塔状構造物をその上部から順次破砕し、破砕片を落下させながら解体する解体方法において、内部に圧縮空気を充満した空気膜構造体を備えた衝撃緩和装置を地面に配置し、前記破砕片を前記空気膜構造体で受け止めることを特徴とする塔状構造物の解体方法。
【０００８】
［２］破砕片を当該塔状構造物の内部に落下させるとともに、前記空気膜構造体を当該塔状構造物の内部に配置することを特徴とする前記［１］に記載の塔状構造物の解体方法。
【０００９】
［３］前記［１］又は［２］に記載の塔状構造物の解体方法において用いる衝撃緩和装置であって、内部に圧縮空気を送り込まれて膨張する空気膜構造体と、該空気膜構造体に圧縮空気を送り込むための空気圧縮機と、該空気膜構造体の内部の圧縮空気の量をその開閉によって調整するための開閉弁とを備えていることを特徴とする衝撃緩和装置。
【００１０】
［４］空気膜構造体の上面にアラミド繊維が貼り付けられていることを特徴とする前記［３］に記載の衝撃緩和装置。
【００１１】
［５］空気膜構造体の内部の圧力が所定圧力以上になった場合に、空気膜構造体の内部の圧縮空気を外部に放出するための圧力逃がし弁を備えていることを特徴とする前記［３］又は［４］に記載の衝撃緩和装置。
【発明の効果】
【００１２】
本発明においては、塔状構造物をその上部から順次破砕し、破砕片を落下させながら解体するに際して、落下する破砕片を空気膜構造体で受け止めるようにしているので、空気膜構造体が落下した破砕片の衝撃を吸収し、落下破砕片による振動及び騒音の発生を低減することができる。
【発明を実施するための最良の形態】
【００１３】
本発明の一実施形態を以下に述べる。
【００１４】
まず、この実施形態に係る塔状構造物の解体方法において用いる衝撃緩和装置を図１に示す。図中、１０が衝撃緩和装置であり、空気膜構造体１１と、空気圧縮機１４と、空気膜構造体１１と空気圧縮機１４を連結する連結管１５と、連結管１５から分岐して先端が大気に開放されている分岐管１６と、分岐管１６に設けられた開閉弁１７を備えている。
【００１５】
空気膜構造体１１は、繊維膜によって製作され、その内部に圧縮空気が送り込まれて膨張する構造になっており、ここでは、空気膜構造体１１は膨張して円柱形状になるようになっている。
【００１６】
そして、空気膜構造体１１の上面１１ａにはアラミド繊維が貼り付けられており、解体した破砕片中の鋭利な突起物（例えば、鉄筋）が空気膜構造体１１に突き刺さるのを防止している。ちなみに、アラミド繊維は防弾チョッキ等に用いられている非常に強靭な繊維である。
【００１７】
また、空気膜構造体１１の側面１１ｂには、圧力逃がし弁１３が設けられており、空気膜構造体１１の内部が所定の圧力以上に上昇すると、圧力逃がし弁１３から空気膜構造体１１の内部の空気が放出されて、空気膜構造体１１の損傷を防ぐようになっている。
【００１８】
次に、この実施形態に係る塔状構造物の解体方法における作業手順を、煙突を解体する場合を例に、図２を参照しながら説明する。
【００１９】
（ステップ１）まず、煙突３１の破砕を開始する前に、破砕片を搬出するために煙突３１の底部に設けられている開口部３２から空気膜構造体１１を縮ませた状態で煙突３１の内部に搬入した後、空気圧縮機１４から圧縮空気を送り込んで、空気膜構造体１１を膨張させる（図２（ａ））。
【００２０】
（ステップ２）油圧解体機（図示せず）等を使用して、煙突３１の上部から順次破砕し、その破砕片３３を煙突３１の内部に落下させながら解体を行う。煙突３１の内部に落下した破砕片３３は、空気膜構造体１１に受け止められる（図２（ｂ））。これによって、落下した破砕片３３による振動及び騒音の発生が低減される。なお、破砕片３３を受け止めることによって、空気膜構造体１１の内部の圧力が急激に上昇した場合は、圧力逃がし弁１３から空気膜構造体１１の内部の空気が放出され、空気膜構造体１１の損傷が防がれる。また、破砕片中に鉄筋等の鋭利な突起物があった場合でも、空気膜構造体１１の上面１１ａにアラミド繊維が貼り付けられているので、鋭利な突起物が空気膜構造体１１に突き刺さることが防がれる。
【００２１】
（ステップ３）そして、所定量の破砕片３３が溜まったら、開閉弁１７を開にして空気膜構造体１１を縮ませ、開口部３２から破砕片３３を搬出する（図２（ｃ））。
【００２２】
（ステップ４）開口部３２から破砕片３３を搬出したら、再度、空気圧縮機１４から圧縮空気を送り込んで、空気膜構造体１１を膨張させる（図２（ａ））。
【００２３】
以降、（ステップ２）〜（ステップ４）を繰り返す。
【００２４】
（ステップ５）そして、破砕片３３の落下による振動及び騒音の発生が問題にならない高さまで解体したら、空気膜構造体１１を縮ませ、煙突３１の内部から搬出する。
【００２５】
（ステップ６）その後、残りの高さ部分を解体して解体工事を終了する。
【００２６】
上記のようにして、この実施形態においては、煙突３１をその上部から順次破砕し、破砕片３３を落下させながら解体するに際して、落下する破砕片３３を空気膜構造体１１で受け止めるようにしているので、空気膜構造体１１が落下した破砕片３３の衝撃を吸収し、落下破砕片３３による振動及び騒音の発生を低減することができる。
【００２７】
なお、この実施形態では、円柱形状の空気膜構造体１１を単体で用いているが、図３に示すような、水平断面がドーナツ形の一部分をしている空気膜構造体２１を併用してもよい。すなわち、図４に示すように、円柱形状の空気膜構造体１１の外周に、水平断面がドーナツ形の一部分をしている空気膜構造体２１を組み合わせて、煙突３１の内部に設置することによって、様々な内径の煙突に対応することができる。図３中、２３は圧力逃がし弁である。
【００２８】
また、空気膜構造体を角柱形状にすれば、矩形断面の煙突にも対応することができる。
【図面の簡単な説明】
【００２９】
【図１】本発明の一実施形態において用いる衝撃緩和装置の説明図である。
【図２】本発明の一実施形態において解体方法の説明図である。
【図３】他の空気膜構造体の説明図である。
【図４】他の衝撃緩和装置の説明図である。
【符号の説明】
【００３０】
１０  衝撃緩和装置
１１  空気膜構造体
１１ａ  空気膜構造体の上面
１１ｂ  空気膜構造体の側面
１３  圧力逃がし弁
１４  空気圧縮機
１５  連結管
１６  分岐管
１７  開閉弁
２１  空気膜構造体
２３  圧力逃がし弁
３１  煙突
３２  開口部
３３  破砕片
【図１】
2005344455.tif 000003
【図２】
2005344455.tif 000004
【図３】
2005344455.tif 000005
【図４】
2005344455.tif 000006